(57)【要約】【課題】本発明は、スキャン電極に印加される駆動電圧を低めることができるプラズマディスプレイ装置及び駆動方法を提供することを目的とする。  【解決手段】 本発明に係るプラズマディスプレイ装置は、スキャン電極及びサステイン電極を含むプラズマディスプレイパネルと、前記スキャン電極に第１上昇ランプパルスを印加する第１ランプパルス印加部と、前記スキャン電極に前記第１上昇ランプパルスが印加される間、前記サステイン電極に負の第１電圧を印加する電圧印加部と、前記負の第１電圧が印加された後、前記サステイン電極に第２上昇ランプパルスを印加する第２ランプパルス印加部と、を含むことを特徴とする。【選択図】図３
2006079088.tif 000002
【特許請求の範囲】
【請求項１】
スキャン電極及びサステイン電極を含むプラズマディスプレイパネルと、
前記スキャン電極に第１上昇ランプパルスを印加する第１ランプパルス印加部と、
前記スキャン電極に前記第１上昇ランプパルスが印加される間、前記サステイン電極に負の第１電圧を印加する電圧印加部と、
前記負の第１電圧が印加された後、前記サステイン電極に第２上昇ランプパルスを印加する第２ランプパルス印加部と、
を含むことを特徴とするプラズマディスプレイ装置。
【請求項２】
前記第１ランプパルス印加部は、
前記スキャン電極にグラウンドレベルの電圧から第１セットアップ電圧まで上昇する第１上昇ランプパルスを印加することを特徴とする、請求項１記載のプラズマディスプレイ装置。
【請求項３】
前記第１ランプパルス印加部は、
一端に前記第１セットアップ電圧を印加受けて前記第１上昇ランプパルスを生成し、前記第１上昇ランプパルスを他端を通じて前記スキャン電極に印加する第１セットアップスイッチを含むことを特徴とする、請求項２記載のプラズマディスプレイ装置。
【請求項４】
前記第１ランプパルス印加部は、
前記スキャン電極にグラウンドレベルの電圧からサステイン電圧まで上昇する第１上昇ランプパルスを印加することを特徴とする、請求項１記載のプラズマディスプレイ装置。
【請求項５】
前記第１ランプパルス印加部は、
一端に前記サステイン電圧を印加受けて前記第１上昇ランプパルスを生成し、前記第１上昇ランプパルスを他端を通じて前記スキャン電極に印加する第１セットアップスイッチを含むことを特徴とする、請求項４記載のプラズマディスプレイ装置。
【請求項６】
前記第２ランプパルス印加部は、
前記サステイン電極にグラウンドレベルの電圧から第２セットアップ電圧まで上昇する第２上昇ランプパルスを印加することを特徴とする、請求項１記載のプラズマディスプレイ装置。
【請求項７】
前記第２ランプパルス印加部は、
一端に前記第２セットアップ電圧を印加受けて前記第２上昇ランプパルスを生成し、前記第２上昇ランプパルスを他端を通じて前記サステイン電極に印加する第２セットアップスイッチを含むことを特徴とする、請求項６記載のプラズマディスプレイ装置。
【請求項８】
前記第２ランプパルス印加部は、
前記サステイン電極にグラウンドレベルの電圧からサステイン電圧まで上昇する第２上昇ランプパルスを印加することを特徴とする、請求項１記載のプラズマディスプレイ装置。
【請求項９】
前記第２ランプパルス印加部は、
一端に前記サステイン電圧を印加受けて前記第２上昇ランプパルスを生成し、前記第２上昇ランプパルスを他端を通じて前記サステイン電極に印加する第２セットアップスイッチを含むことを特徴とする、請求項８記載のプラズマディスプレイ装置。
【請求項１０】
前記第２ランプパルス印加部が前記第２上昇ランプパルスを印加した後、前記スキャン電極にグラウンドレベルの電圧を印加するバイアス電圧印加部を更に含むことを特徴とする、請求項１記載のプラズマディスプレイ装置。
【請求項１１】
前記第２ランプパルス印加部は、
一端は前記サステイン電極と連結され、他端はグラウンドと連結されて、前記エネルギーが回収される際、ターンオンされる第２セットアップスイッチを含むことを特徴とする、請求項１０記載のプラズマディスプレイ装置。
【請求項１２】
前記第１セットアップスイッチはアクティブ領域で作動することを特徴とする、請求項３記載のプラズマディスプレイ装置。
【請求項１３】
前記第２セットアップスイッチはアクティブ領域で作動することを特徴とする、請求項７記載のプラズマディスプレイ装置。
【請求項１４】
スキャン電極及びサステイン電極を含むプラズマディスプレイ装置の駆動方法において、
前記スキャン電極に第１上昇ランプパルスを印加するステップと、
前記スキャン電極に第１上昇ランプパルスが印加される間、前記サステイン電極に負の第１電圧を印加するステップと、
前記負の第１電圧が印加された後、前記サステイン電極に第２上昇ランプパルスを印加するステップと、
を含むことを特徴とするプラズマディスプレイ装置の駆動方法。
【請求項１５】
前記第１上昇ランプパルスは、グラウンドレベルから第１セットアップ電圧まで上昇することを特徴とする、請求項１４記載のプラズマディスプレイ装置の駆動方法。
【請求項１６】
前記第１上昇ランプパルスは、グラウンドレベルからサステイン電圧まで上昇することを特徴とする、請求項１４記載のプラズマディスプレイ装置の駆動方法。
【請求項１７】
前記第２上昇ランプパルスは、グラウンドレベルから第２セットアップ電圧まで上昇することを特徴とする、請求項１４記載のプラズマディスプレイ装置の駆動方法。
【請求項１８】
前記第２上昇ランプパルスは、負のサステイン電圧からグラウンドレベルまで上昇することを特徴とする、請求項１４記載のプラズマディスプレイ装置の駆動方法。
【請求項１９】
前記第２上昇ランプパルスを印加した後、前記スキャン電極にグラウンドレベルの電圧を印加するステップを更に含むことを特徴とする、請求項１４記載のプラズマディスプレイ装置の駆動方法。
【請求項２０】
スキャン電極及びサステイン電極を含むプラズマディスプレイパネルを駆動するプラズマディスプレイ装置の駆動装置であって、
前記スキャン電極に第１上昇ランプパルスを印加する第１ランプパルス印加部と、
前記スキャン電極に前記第１上昇ランプパルスが印加される間、前記サステイン電極に負の第１電圧を印加する電圧印加部と、
前記負の第１電圧が印加された後、前記サステイン電極に第２上昇ランプパルスを印加する第２ランプパルス印加部と、
を含むことを特徴とするプラズマディスプレイ装置の駆動装置。
【請求項２１】
スキャン電極に上昇ランプパルスを印加すると共にサステイン電極に負の電圧を印加した後、前記サステイン電極に上昇ランプパルスを印加することを特徴とする、プラズマディスプレイ装置。
【発明の詳細な説明】
【技術分野】
【０００１】
本発明は、プラズマディスプレイ装置及びプラズマディスプレイ装置の駆動方法に関し、より詳細には、リセット駆動を遂行するプラズマディスプレイ装置及びプラズマディスプレイ装置の駆動方法に関する。
【背景技術】
【０００２】
図１は、従来のプラズマディスプレイ装置の回路図である。図２は、従来のプラズマディスプレイ装置の動作による駆動波形図である。
【０００３】
以下、図１及び図２を参照して従来のプラズマディスプレイ装置の駆動方法について説明する。
【０００４】
セットアップ区間の間、第５スイッチ(Ｓ５)及び第７スイッチ(Ｓ７)がターン−オンされる。この際、サステインパルス供給部４０からサステイン電圧(Ｖｓ)が供給される。サステインパルス供給部４０から供給されたサステイン電圧(Ｖｓ)は、第６スイッチ(Ｑ６)の内部ダイオード、第７スイッチ(Ｑ７)及びドライブ集積回路５２の第２選択部(Ｑ１５)を経由してスキャン電極に供給される。従って、図２に示すように、スキャン電極(Ｙ)の電圧はＶｓに急激に上昇する。
【０００５】
一方、第２キャパシタ(Ｃ２)の負極性端子にサステイン電圧(Ｖｓ)が供給されるので、第２キャパシタ(Ｃ２)はＶｓ＋Ｖｓｅｔｕｐの電圧を第５スイッチ(Ｑ５)に供給する。第５スイッチ(Ｑ５)は、自身の前段に設けられた第１可変抵抗(ＶＲ１)によりチャネル幅が調節されながら第２キャパシタ(Ｃ２)から供給される電圧を所定の傾きを有して第１ノード点(ｎ１)に供給する。
【０００６】
第１ノード点(ｎ１)に所定の傾きを有して印加される電圧は、第７スイッチ(Ｑ７)及びドライブ集積回路５２の第２選択部(Ｑ１５)を経由してスキャン電極（Ｙ）に供給される。このような過程を通じて、図２に示すように、スキャン電極(Ｙ)に上昇ランプパルス(Ｒａｍｐ−ｕｐ)が供給される。
【０００７】
スキャン電極に上昇ランプパルス(Ｒａｍｐ−ｕｐ)が供給された後、第５スイッチ(Ｑ５)はターン−オフされる。第５スイッチ(Ｑ５)がターン−オフされると、サステインパルス供給部４０から供給されるＶｓの電圧のみ第１ノード点(ｎ１)に印加されて、これによって、図２に示すように、スキャン電極(Ｙ)の電圧はＶｓに急激に下降する。
【０００８】
以後、セットダウン区間に第７スイッチ(Ｑ７)がターン−オフされると共に、第１０スイッチ(Ｑ１０)がターン−オンされる。第１０スイッチ(Ｑ１０)は、自身の前段に設けられた第２可変抵抗(ＶＲ２)によりチャネル幅が調節されながら第２ノード(ｎ２)の電圧を書込みスキャン電圧(−Ｖｗ)(または、セットダウン電圧源)に所定の傾きを有して下降される。これによって、図２に示すように、スキャン電極(Ｙ)に下降ランプパルス(Ｒａｍｐ−ｄｏｗｎ)が供給され、スキャン電極(Ｙ)の電位は−Ｖｗまで下降する。
【０００９】
ここで、第７スイッチ(Ｑ７)は、第６スイッチ(Ｑ６)と互いに異なる方向の内部ダイオードを備え、第２ノード(ｎ２)に印加される電圧が第６スイッチ(Ｑ６)の内部ダイオード及び第４スイッチ(Ｑ４)の内部ダイオードを経由して基底電位(ＧＮＤ)に供給されることを防止することになる。
【００１０】
スキャン基準電圧供給部５０は、スキャンバイアス電圧源(Ｖｓｃ)と第２ノード(ｎ２)との間に接続する第３キャパシタ(Ｃ３)と、スキャンバイアス電圧源(Ｖｓｃ)と第２ノード(ｎ２)との間に接続する第８スイッチ(Ｑ８)及び第９スイッチ(Ｑ９)を備える。
【００１１】
第８スイッチ(Ｑ８)は、選択的書込み及び消去アドレス区間の間、タイミングコントローラーから供給される制御信号により切換えられ、かつ、図２に示すように、スキャンバイアス電圧源(Ｖｓｃ)の電圧をドライブ集積回路５２に供給する。第３キャパシタ(Ｃ３)は、第２ノード(ｎ２)に印加される電圧とスキャンバイアス電圧源(Ｖｓｃ)の電圧値とを合せて第８スイッチ(Ｑ８)に供給する。第９スイッチ(Ｑ９)は、第１４スイッチ(Ｑ１４)、第７スイッチ(Ｑ７)、第６スイッチ(Ｑ６)及び第４スイッチ(Ｑ４)と共にターンオンされて、スキャン電極(Ｙ)の電位がグラウンドレベルになるようにする。
【００１２】
このように動作する従来のプラズマ表示パネルの駆動装置において、上りランプ波形が到達する電圧の大きさ(Ｖｓｅｔｕｐ＋Ｖｓ)が大きく電圧上昇時間が長いので、第５スイッチ(Ｑ５)に流れる電流も順次増加して発熱が大きく発生する。従って、第５スイッチ(Ｑ５)は高電圧と大電流に耐えなければならない。
【００１３】
従って、第５スイッチ(Ｑ５)は、性能が非常に優れる高価なスイッチング素子を用いる必要があり、これによりプラズマ表示パネルの製造コストが増加する。また、第５スイッチ(Ｑ５)の動作により発生するノイズにより、隣接する周囲のスイッチ素子は好ましくない影響を受ける。
【００１４】
このため、第５スイッチ(Ｑ５)と隣接スイッチとを絶縁するために第６スイッチ(Ｑ６)と第７スイッチ(Ｑ７)が別途に設置されなければならない。
【００１５】
特に、上昇ランプパルス供給の際、第６スイッチ(Ｑ６)はターンオフされ、サステイン電圧(Ｖｓ)は第６スイッチ(Ｑ６)の内部ダイオードを通じて印加されるので、第６スイッチ(Ｑ６)はエネルギー回収回路４０とセットアップ供給部４２とを絶縁する。
【００１６】
この際、第６スイッチ(Ｑ６)は、セットアップ電圧(Ｖｓｅｔｕｐ)及びサステイン電圧(Ｖｓ)が通過することになり、セットアップ波形を印加するセットアップ電圧の以上の高耐圧スイッチでなければならないので、プラズマ表示パネルの製造コストが上昇し、エネルギー損失が増大する問題が発生する。
【００１７】
また、第７スイッチ(Ｑ７)は、第６スイッチ(Ｑ６)と互いに異なる方向の内部ダイオードを備え、第２ノード(ｎ２)に印加される電圧が第６スイッチ(Ｑ６)の内部ダイオード及び第４スイッチ(Ｑ４)の内部ダイオードを経由して基底電位(ＧＮＤ)に供給されることを防止することになる。セットダウン区間の間、第１ノード(ｎ１)にはＶｓの電圧が印加され、第２ノード(ｎ２)には書込みスキャン電圧(−Ｖｗ)が印加されることになる。ここで、Ｖｓの電圧が略１８０Ｖに設定され、書込みスキャン電圧(−Ｖｗ)が−７０Ｖに設定されると、第７スイッチ(Ｑ７)は略２５０Ｖ(実際の駆動電圧マージンを勘案して３００Ｖ)程度の耐圧を有する必要がある。即ち、従来には、第７スイッチ(Ｑ７)として耐圧を有するスイッチング素子を設置しなければならないので、製造コストが上昇する問題がある。
【００１８】
併せて、従来の駆動装置は、上昇ランプ波形を形成するための別途のセットアップ電圧源(Ｖｓｅｔｕｐ)が必要であるという問題も発生する。
【発明の開示】
【発明が解決しようとする課題】
【００１９】
本発明は、スキャン電極に印加される駆動電圧を低めることができるプラズマディスプレイ装置及び駆動方法を提供することを目的とする。
【００２０】
本発明は、製造コストを低減することができるプラズマディスプレイ装置及びその駆動方法を提供することを目的とする。
【００２１】
本発明は、熱の発生を減らすことができるプラズマディスプレイ装置及びその駆動方法を提供することを目的とする。
【００２２】
本発明は、上昇ランプパルスを形成するための別途のセットアップ電圧源が不要なプラズマディスプレイ装置及びその駆動方法を提供することを目的とする。
【課題を解決するための手段】
【００２３】
本発明のプラズマディスプレイ装置は、スキャン電極及びサステイン電極を含むプラズマディスプレイパネルと、前記スキャン電極に第１上昇ランプパルスを印加する第１ランプパルス印加部と、前記スキャン電極に前記第１上昇ランプパルスが印加される間、前記サステイン電極に負の第１電圧を印加する電圧印加部と、前記負の第１電圧が印加された後、前記サステイン電極に第２上昇ランプパルスを印加する第２ランプパルス印加部とを含む。
【００２４】
前記第１ランプパルス印加部は、前記スキャン電極にグラウンドレベルの電圧から第１セットアップ電圧まで上昇する第１上昇ランプパルスを印加することを特徴とする。
【００２５】
前記第１ランプパルス印加部は、一端に前記第１セットアップ電圧を印加受けて前記第１上昇ランプパルスを生成し、前記第１上昇ランプパルスを他端を通じて前記スキャン電極に印加する第１セットアップスイッチを含むことを特徴とする。
【００２６】
前記第１ランプパルス印加部は、前記スキャン電極にグラウンドレベルの電圧からサステイン電圧まで上昇する第１上昇ランプパルスを印加することを特徴とする。
【００２７】
前記第１ランプパルス印加部は、一端に前記サステイン電圧を印加受けて前記第１上昇ランプパルスを生成し、前記第１上昇ランプパルスを他端を通じて前記スキャン電極に印加する第１セットアップスイッチを含むことを特徴とする。
【００２８】
前記第２ランプパルス印加部は、前記サステイン電極にグラウンドレベルの電圧から第２セットアップ電圧まで上昇する第２上昇ランプパルスを印加することを特徴とする。
【００２９】
前記第２ランプパルス印加部は、一端に前記第２セットアップ電圧を印加受けて前記第２上昇ランプパルスを生成し、前記第２上昇ランプパルスを他端を通じて前記サステイン電極に印加する第２セットアップスイッチを含むことを特徴とする。
【００３０】
前記第２ランプパルス印加部は、前記サステイン電極にグラウンドレベルの電圧からサステイン電圧まで上昇する第２上昇ランプパルスを印加することを特徴とする。
【００３１】
前記第２ランプパルス印加部は、一端に前記サステイン電圧を印加受けて前記第２上昇ランプパルスを生成し、前記第２上昇ランプパルスを他端を通じて前記サステイン電極に印加する第２セットアップスイッチを含むことを特徴とする。
【００３２】
前記第２ランプパルス印加部が前記第２上昇ランプパルスを印加した後、前記スキャン電極にグラウンドレベルの電圧を印加するバイアス電圧印加部を更に含むことを特徴とする。
【００３３】
前記第２ランプパルス印加部は、一端は前記サステイン電極と連結され、他端はグラウンドと連結されて、前記エネルギーが回収される際、ターンオンされる第２セットアップスイッチを含むことを特徴とする。
【００３４】
前記第１セットアップスイッチはアクティブ領域で作動することを特徴とする。
【００３５】
前記第２セットアップスイッチはアクティブ領域で作動することを特徴とする。
【００３６】
本発明のプラズマディスプレイ装置の駆動方法は、前記スキャン電極に第１上昇ランプパルスを印加するステップと、前記スキャン電極に第１上昇ランプパルスが印加される間、前記サステイン電極に負の第１電圧を印加するステップと、前記負の第１電圧が印加された後、前記サステイン電極に第２上昇ランプパルスを印加するステップとを含む。
【００３７】
前記第１上昇ランプパルスは、グラウンドレベルから第１セットアップ電圧まで上昇することを特徴とする。
【００３８】
前記第１上昇ランプパルスは、グラウンドレベルからサステイン電圧まで上昇することを特徴とする。
【００３９】
前記第２上昇ランプパルスは、グラウンドレベルから第２セットアップ電圧まで上昇することを特徴とする。
【００４０】
前記第２上昇ランプパルスは、負のサステイン電圧からグラウンドレベルまで上昇することを特徴とする。
【００４１】
前記第２上昇ランプパルスを印加した後、前記スキャン電極にグラウンドレベルの電圧を印加するステップを更に含むことを特徴とする。
【００４２】
本発明に係るプラズマディスプレイ装置の駆動装置は、スキャン電極及びサステイン電極を含むプラズマディスプレイパネルを駆動するプラズマディスプレイ装置の駆動装置であって、前記スキャン電極に第１上昇ランプパルスを印加する第１ランプパルス印加部と、前記スキャン電極に前記第１上昇ランプパルスが印加される間、前記サステイン電極に負の第１電圧を印加する電圧印加部と、前記負の第１電圧が印加された後、前記サステイン電極に第２上昇ランプパルスを印加する第２ランプパルス印加部と、を含むことを特徴とする。
【００４３】
本発明に係るプラズマディスプレイ装置は、スキャン電極に上昇ランプパルスを印加すると共にサステイン電極に負の電圧を印加した後、前記サステイン電極に上昇ランプパルスを印加することを特徴とする。
【発明の効果】
【００４４】
本発明は、セットアップ区間及びセットダウン区間において、駆動パルスをスキャン電極及びサステイン電極に印加することによって、スキャン電極に印加される駆動電圧を低めることができる。
【００４５】
本発明は、セットアップ区間及びセットダウン区間において、駆動パルスをスキャン電極及びサステイン電極に印加することによって、製造コストを低減することができる。
【００４６】
本発明は、セットアップ区間及びセットダウン区間において、駆動パルスをスキャン電極及びサステイン電極に印加することによって、熱の発生を減らすことができる。
【００４７】
本発明は、上昇ランプパルスを形成するためにサステイン電圧を用いることによって、別途のセットアップ電圧源が不要である。
【発明を実施するための最良の形態】
【００４８】
以下、本発明に係る具体的な実施形態を添付の図面を参照しながら説明する。
＜第１実施形態＞
図３は、本発明に係るプラズマディスプレイ装置の第１実施形態である。図３に示す
ように、本発明に係るプラズマ表示パネルの駆動装置の第１実施形態は、プラズマディスプレイパネル(Ｃｐ)、第１ランプパルス印加部３００、電圧印加部４００、第２ランプパルス印加部５００、バイアス電圧印加部６００、スキャンパルス供給部７００、第１サステインパルス供給部８００及び第２サステインパルス供給部９００を含む。
【００４９】
プラズマディスプレイパネル(Ｃp）はスキャン電極(Ｙ)及びサステイン電極（Ｚ）を含む。
【００５０】
第１ランプパルス印加部３００は、スキャン電極(Ｙ)に第１セットアップ電圧(Ｖｓｅｔｕｐ１)まで上昇する第１上昇ランプパルスを印加する。第１ランプパルス印加部３００は、アクティブ領域(ａｃｔｉｖｅ  ｒｅｇｉｏｎ、線形領域ともいう)で作動する第１セットアップスイッチである第１０スイッチ(Ｓ１０)のターンオンにより形成された第１上昇ランプパルスをスキャン電極(Ｙ)に印加する。
【００５１】
電圧印加部４００は、スキャン電極(Ｙ)に第１上昇ランプパルスが印加される間、前記サステイン電極に負の第１電圧(Ｖ１)を印加する。電圧印加部４００は、負の第１電圧(Ｖ１)を電圧印加用スイッチである第９スイッチ(Ｓ９)のターンオンによりサステイン電極（Ｚ）に印加する。
【００５２】
この際、負の第１電圧(Ｖ１)は負のサステイン電圧(−Ｖｓ)が好ましい。サステイン電圧(Ｖｓ)はプラズマディスプレイパネルのサステイン放電の維持のための電圧である。
【００５３】
第２ランプパルス印加部５００は、負の第１電圧(Ｖ１)が印加された後、サステイン電極（Ｚ）に第２セットアップ電圧(Ｖｓｅｔｕｐ２)まで上昇する第２上昇ランプパルスを印加する。この際、第２ランプパルス印加部５００は、アクティブ領域で作動する第２セットアップスイッチである第１１スイッチ(Ｓ１１)のターンオンにより形成された第２上昇ランプパルスをサステイン電極（Ｚ）に印加する。
【００５４】
バイアス電圧印加部６００は、第２ランプパルス印加部５００によって第２上昇ランプパルスが印加された後、アドレス区間でスキャン電極(Ｙ)にスキャンバイアス電圧(Ｖｓｃ)を印加する。
【００５５】
スキャンパルス供給部７００は、選択されたスキャン電極上に位置したセルに対するアドレスを遂行するためにスキャンパルス用電圧(−Ｖｗ)を供給する。この際、スキャンパルス用電圧(−Ｖｗ)の印加は第１２スイッチ(Ｓ１２)のターンオンによりなされる。スキャンパルス供給部７００により供給されるスキャンパルスに同期してアドレス電極(図示していない)にデータパルスが印加されることによってアドレスがなされる。
【００５６】
第１サステインパルス供給部８００は、アドレス区間後に、エネルギー回収格納用キャパシター(Ｃｓ１)に格納されたエネルギーを第１インダクタ(Ｌ１)及び第２インダクタ(Ｌ２)との共振を用いてスキャン電極(Ｙ)に供給し、第１インダクタ(Ｌ１)及び第２インダクタ(Ｌ２)との共振を用いてスキャン電極(Ｙ)から回収することによってサステインパルスを供給する。
【００５７】
第２サステインパルス供給部９００は、第２ランプパルス印加部５００により第２上昇ランプパルスが印加された後、バイアス電圧であるサステイン電圧(Ｖｓ)をサステイン電極（Ｚ）に印加する。また、第２サステインパルス供給部９００は、第１サステインパルス供給部８００により供給されるサステインパルスと交番するサステインパルスを前記サステイン電極（Ｚ）に印加する。
【００５８】
図３に於いて符号１０００はスキャンドライバであり、スキャンドライバ１０００は、第１選択スイッチである第１３スイッチ(Ｓ１３)と第２選択スイッチである第１４スイッチ(Ｓ１４)のターンオンまたはターンオフにより駆動波形をスキャン電極(Ｙ)に印加する。
【００５９】
次に、図面を参照して本発明に係るプラズマ表示パネルの駆動装置の動作を詳細に説明する。
【００６０】
図４は、本発明の第１実施形態に係るプラズマディスプレイ装置の動作による駆動波形図である。
【００６１】
まず、電圧印加部４００は、負の第１電圧(Ｖ１)である負のサステイン電圧(−Ｖｓ)を電圧印加用スイッチである第９スイッチ(Ｓ９)のターンオンによりサステイン電極（Ｚ）に印加する。同時に、第１ランプパルス印加部３００は、グラウンドレベルの電圧から第１セットアップ電圧(Ｖｓｅｔｕｐ１)まで上昇する第１上昇ランプパルスをスキャン電極(Ｙ)に印加する。第１ランプパルス印加部３００が、グラウンドレベルの電圧から第１セットアップ電圧(Ｖｓｅｔｕｐ１)まで上昇する第１上昇ランプパルスが印加できるのは、第１サステインパルス供給部８００の第２スイッチ(Ｓ２)がターンオフされているためである。
【００６２】
このように、スキャン電極(Ｙ)に第１上昇ランプパルスと負のサステイン電圧(−Ｖｓ)が同時に印加されることによって、スキャン電極(Ｙ)とサステイン電極（Ｚ）との電位差は、図２のセットアップ区間の中、スキャン電極(Ｙ)に印加される駆動パルスの波形と同一である。
【００６３】
このように、第１上昇ランプパルスと負のサステイン電圧(−Ｖｓ)とが各々スキャン電極(Ｙ)とサステイン電極（Ｚ）とに各々印加されることによって、従来のプラズマディスプレイ装置に含まれた第６スイッチ(Ｓ６)が不要である。即ち、従来のプラズマディスプレイ装置に含まれた第６スイッチ(Ｓ６)は、セットアップ電圧(Ｖｓｅｔｕｐ)及びサステイン電圧(Ｖｓ)が通過するために高耐圧スイッチでなければならない。これに対して、本発明のプラズマディスプレイ装置は、第１上昇ランプパルスと負のサステイン電圧(−Ｖｓ)とが分離して各々スキャン電極(Ｙ)とサステイン電極（Ｚ）とに印加されるので、第６スイッチ(Ｓ６)のような高耐圧スイッチが不要である。
【００６４】
以後、第２ランプパルス印加部５００は、第２セットアップ電圧(Ｖｓｅｔｕｐ２)まで上昇する第２上昇ランプパルスをサステイン電極（Ｚ）に印加する。従って、スキャン電極(Ｙ)とサステイン電極（Ｚ）との間の電位差は、図４に示すように、セットダウン区間が終わる地点まで図２の波形と同一である。
【００６５】
次に、バイアス電圧印加部６００は、アドレス区間でスキャン電極(Ｙ)にスキャンバイアス電圧(Ｖｓｃ)を印加する。また、スキャンパルス供給部７００は、選択されたスキャンライン上にセルに対するアドレスを遂行するためにスキャンパルス用電圧(−Ｖｗ)を供給する。そして、第２サステインパルス供給部９００は、ターンオンされた第６スイッチ(Ｓ６)を通じてサステイン電圧(Ｖｓ)をサステイン電極（Ｚ）に印加する。
【００６６】
これによって、図４に示したように、アドレス区間でスキャン電極(Ｙ)にスキャンバイアス電圧(Ｖｓｃ)またはスキャンパルス用電圧(−Ｖｗ)が印加され、サステイン電極（Ｚ）にはバイアス電圧の役割をするサステイン電圧(Ｖｓ)が印加される。
【００６７】
このように、スキャンパルス用電圧(−Ｖｗ)が印加される際、第１サステインパルス供給部８００の第２スイッチ(Ｓ２)はターンオフ状態である。即ち、従来のプラズマディスプレイ装置は、図１に示すように、セットダウン区間の間、第１ノード(ｎ１)にはＶｓの電圧が印加され、第２ノード(ｎ２)には書込みスキャン電圧(−Ｖｗ)が印加されることになって、高耐圧特性を有する第７スイッチ(Ｓ７)が必要であるが、本発明のプラズマディスプレイ装置は第７スイッチ(Ｓ７)のような高耐圧スイッチング素子が不要である。
【００６８】
また、スキャンバイアス電圧(Ｖｓｃ)がスキャンドライバ１０００の第１３スイッチ(Ｓ１３)を通じてスキャン電極(Ｙ)に印加されるので、図１に図示された従来の駆動装置の第８スイッチ(Ｓ８)が不要である。また、図３に示すように、第４スイッチ(Ｓ４)と第１４スイッチ(Ｓ１４)のターンオンによりスキャン電極(Ｙ)がグラウンドレベルになるので、図１の第９スイッチ(Ｑ９)が不要である。
【００６９】
＜第２実施形態＞
図５は、本発明に係るプラズマディスプレイ装置の第２実施形態である。図５に示すように、本発明に係るプラズマ表示パネルの駆動装置の第２実施形態は、プラズマディスプレイパネル(Ｃｐ)、第１ランプパルス印加部３００、電圧印加部４００、第２ランプパルス印加部５００、バイアス電圧印加部６００、スキャンパルス供給部７００、第１サステインパルス供給部８００及び第２サステインパルス供給部９００を含む。
【００７０】
プラズマディスプレイパネル(Ｃｐ)はスキャン電極(Ｙ)及びサステイン電極（Ｚ）を含む。
【００７１】
第１ランプパルス印加部３００は、スキャン電極(Ｙ)にサステイン電圧(Ｖｓ)まで上昇する第１上昇ランプパルスを印加する。第１ランプパルス印加部３００は、アクティブ領域(ａｃｔｉｖｅ  ｒｅｇｉｏｎ)で作動する第１セットアップスイッチである第１０スイッチ(Ｓ１０)のターンオンにより形成された第１上昇ランプパルスをスキャン電極(Ｙ)に印加する。即ち、本発明の第１実施形態における第１ランプパルス印加部３００は別途の第１セットアップ電圧源(Ｖｓｅｔｕｐ１)が必要であったが、本発明の第２実施形態における第１ランプパルス印加部３００は、別途の第１セットアップ電圧源(Ｖｓｅｔｕｐ１)なしに、サステイン電圧(Ｖｓ)で第１上昇ランプパルスを形成する。
【００７２】
電圧印加部４００は、スキャン電極(Ｙ)に第１上昇ランプパルスが印加される間、前記サステイン電極に負の第１電圧(Ｖ１)を印加する。電圧印加部４００は、負の第１電圧(Ｖ１)を電圧印加用スイッチである第９スイッチ(Ｓ９)のターンオンによりサステイン電極（Ｚ）に印加する。この際、負の第１電圧(Ｖ１)は負のサステイン電圧(−Ｖｓ)が好ましい。サステイン電圧(Ｖｓ)はプラズマディスプレイパネルのサステイン放電の維持のための電圧である。
【００７３】
第２ランプパルス印加部５００は、負の第１電圧(Ｖ１)が印加された後、サステイン電極（Ｚ）にサステイン電圧(Ｖｓ)まで上昇する第２上昇ランプパルスを印加する。この際、第２ランプパルス印加部５００は、アクティブ領域で作動する第２セットアップスイッチである第１１スイッチ(Ｓ１１)のターンオンにより形成された第２上昇ランプパルスをサステイン電極（Ｚ）に印加する。即ち、本発明の第１実施形態における第１ランプパルス印加部３００は、別途の第２セットアップ電圧源(Ｖｓｅｔｕｐ２)が必要であったが、本発明の第２実施形態における第２ランプパルス印加部５００は別途の第２セットアップ電圧源(Ｖｓｅｔｕｐ２)なしにサステイン電圧(Ｖｓ)で第２上昇ランプパルスを形成する。
【００７４】
バイアス電圧印加部６００は、第２ランプパルス印加部５００により第２上昇ランプパルスが印加された後、アドレス区間でスキャン電極(Ｙ)にグラウンドレベルの電圧を印加する。従って、本発明の第１実施形態でのように、別途のスキャンバイアス電圧源(Ｖｓｃ)が不要である。
【００７５】
スキャンパルス供給部７００は、選択されたスキャン電極上に位置したセルに対するアドレスを遂行するためにスキャンパルス用電圧(−Ｖｗ)を供給する。この際、スキャンパルス用電圧(−Ｖｗ)の印加は第１２スイッチ(Ｓ１２)のターンオンによりなされる。スキャンパルス供給部７００により供給されるスキャンパルスに同期して、アドレス電極(図示せず、データ電極ともいう)にデータパルスが印加されることによって、アドレスがなされる。
【００７６】
第１サステインパルス供給部８００は、アドレス区間の以後に、エネルギー回収格納用キャパシター(Ｃｓ１)に格納されたエネルギーを第１インダクタ(Ｌ１)及び第２インダクタ(Ｌ２)との共振を用いてスキャン電極(Ｙ)に供給し、第１インダクタ(Ｌ１)及び第２インダクタ(Ｌ２)との共振を用いてスキャン電極(Ｙ)から回収することによってサステインパルスを供給する。
【００７７】
第２サステインパルス供給部９００は、第２ランプパルス印加部５００により第２上昇ランプパルスが印加された後、バイアス電圧であるサステイン電圧(Ｖｓ)をサステイン電極（Ｚ）に印加し、第１サステインパルス供給部８００により供給されるサステインパルスと交番するサステインパルスを前記サステイン電極（Ｚ）に印加する。
【００７８】
図７中符号１０００はスキャンドライバであり、スキャンドライバ１０００は、第１選択スイッチである第１３スイッチ(Ｓ１３)と第２選択スイッチである第１４スイッチ(Ｓ１４)のターンオンまたはターンオフにより駆動波形をスキャン電極(Ｙ)に印加する。
次に、図面を参照しながら本発明に係るプラズマ表示パネルの駆動装置の動作を詳細に説明する。
【００７９】
図６は、本発明の第２実施形態に係るプラズマディスプレイ装置の動作による駆動波形図である。
【００８０】
まず、電圧印加部４００は、負の第１電圧(Ｖ１)である負のサステイン電圧(−Ｖｓ)を電圧印加用スイッチである第９スイッチ(Ｓ９)のターンオンによりサステイン電極（Ｚ）に印加する。同時に、第１ランプパルス印加部３００は、サステイン電圧(Ｖｓ)まで上昇する第１上昇ランプパルスをスキャン電極(Ｙ)に印加する。
【００８１】
このように、スキャン電極(Ｙ)に第１上昇ランプパルスと負のサステイン電圧(−Ｖｓ)が同時に印加されることによって、スキャン電極(Ｙ)とサステイン電極（Ｚ）との電位差は、図６に示すように、セットアップ区間中、２Ｖｓまで上昇する。
【００８２】
このように、第１上昇ランプパルスと負のサステイン電圧(−Ｖｓ)が各々スキャン電極(Ｙ)とサステイン電極（Ｚ）とに各々印加されることによって、従来のプラズマディスプレイ装置に含まれた第６スイッチ(Ｓ６)が不要である。
【００８３】
以後、第２ランプパルス印加部５００は、サステイン電圧(Ｖｓ)上昇する第２上昇ランプパルスをサステイン電極（Ｚ）に印加する。従って、スキャン電極(Ｙ)とサステイン電極（Ｚ）との間の電位差は、セットダウン区間で負のサステイン電圧(−Ｖｓ)まで下降する。
【００８４】
次に、バイアス電圧印加部６００は、アドレス区間でスキャン電極(Ｙ)にグラウンドレベルの電圧を印加する。また、スキャンパルス供給部７００は、選択されたスキャンライン上にセルに対するアドレスを遂行するためにスキャンパルス用電圧(−Ｖｗ)を供給する。そして、第２サステインパルス供給部９００は、ターンオンされた第６スイッチ(Ｓ６)を通じてサステイン電圧(Ｖｓ)をサステイン電極（Ｚ）に印加する。
【００８５】
これによって、図４でのように、アドレス区間でスキャン電極(Ｙ)にグラウンドレベルの電圧(Ｖｓｃ)またはスキャンパルス用電圧(−Ｖｗ)が印加され、サステイン電極（Ｚ）にはバイアス電圧の役割をするサステイン電圧(Ｖｓ)が印加される。
【００８６】
このように、スキャンパルス用電圧(−Ｖｗ)が印加される際、第１サステインパルス供給部８００の第２スイッチ(Ｓ２)はターンオフ状態である。従って、従来のプラズマディスプレイ装置の第７スイッチ(Ｓ７)のような高耐圧スイッチング素子が不要である。
【００８７】
また、グラウンドレベルの電圧がスキャンドライバ１０００の第１３スイッチ(Ｓ１３)を通じてスキャン電極(Ｙ)に印加されるので、図１に図示された従来の駆動装置の第８スイッチ(Ｓ８)が不要である。また、図３に示すように、第４スイッチ(Ｓ４)と第１４スイッチ(Ｓ１４)のターンオンによりスキャン電極(Ｙ)がグラウンドレベルになるので、図１の第９スイッチ(Ｓ９)が不要である。
＜第３実施形態＞
図７は、本発明に係るプラズマディスプレイ装置の第３実施形態である。図８は、本発明の第３実施形態に係るプラズマディスプレイ装置の動作による駆動波形図である。本発明の第２実施形態と第３実施形態との相違点は、第２ランプパルス印加部５００の第１１スイッチ(Ｓ１１)が、第２サステインパルス供給部９００の第８スイッチ(Ｓ８)と並列に連結されることである。
【００８８】
このように、第２ランプ波形供給部３５０の第１１スイッチ(Ｓ１１)が第８スイッチ(Ｓ８)と並列に連結されると、図８に示すように、負のサステイン電圧(−Ｖｓ)がサステイン電極(Ｙ)に印加された後、第１１スイッチ(Ｓ１１)はターンオンしながら第２上昇ランプパルスを形成する。
【００８９】
この際、サステイン電極（Ｚ）の電位は、負のサステイン電圧(−Ｖｓ)からグラウンドまで上昇する。以後、第７スイッチ(Ｓ７)がターンオンしてサステイン電圧(Ｖｓ)がサステイン電極（Ｚ）に印加される。
【００９０】
これによって、スキャン電極(Ｙ)とサステイン電極（Ｚ）との間の電位差はセットアップ区間で２Ｖｓまで上昇し、セットダウン区間ではサステイン電圧(Ｖｓ)からグラウンドレベルまで下降する。
【図面の簡単な説明】
【００９１】
【図１】従来のプラズマディスプレイ装置の回路図である。
【図２】従来のプラズマディスプレイ装置の動作による駆動波形図である。
【図３】本発明に係るプラズマディスプレイ装置の第１実施形態である。
【図４】本発明の第１実施形態に係るプラズマディスプレイ装置の動作による駆動波形図である。
【図５】本発明に係るプラズマディスプレイ装置の第２実施形態である。
【図６】本発明の第２実施形態に係るプラズマディスプレイ装置の動作による駆動波形図である。
【図７】本発明に係るプラズマディスプレイ装置の第３実施形態である。
【図８】本発明の第３実施形態に係るプラズマディスプレイ装置の動作による駆動波形図である。
【符号の説明】
【００９２】
３００    第１ランプパルス印加部
４００    電圧印加部
５００    第２ランプパルス印加部
６００    バイアス電圧印加部
７００    スキャンパルス供給部
８００    第１サステインパルス供給部
９００    第２サステインパルス供給部
１０００  スキャンドライバ
【図１】
2006079088.tif 000003
【図２】
2006079088.tif 000004
【図３】
2006079088.tif 000005
【図４】
2006079088.tif 000006
【図５】
2006079088.tif 000007
【図６】
2006079088.tif 000008
【図７】
2006079088.tif 000009
【図８】
2006079088.tif 000010